(57)【要約】【課題】  ユーザが靴を履いた状態における靴飾りの取り付け作業を容易化することができる飾り付き靴を提供することを目的とする。【解決手段】  飾り付き靴１００の外面には、ベース地２２が縫着される。このベース地２２にカバー地２３が接着され、マグネット部２１の吸着面には、円とは異なる形状からなる凹部が形成される。連結部１４には、靴飾り１１が固定されるとともに、吸着面と当接するための当接面が形成され、マグネット部２１と磁力によって連結可能である。マグネット部２１は、カバー地２３のスリット２３ａに脚部を貫通させた後、脚部を折り曲げることにより、カバー地に固定される。ベース地２２は、外面に縫着された後に、マグネット部２１の固定後のカバー地２３と接着され、連結部１４の当接面には、マグネット部２１の凹部と互いに回転しないように係合可能な突起部が形成される。【選択図】  図１
2013226164.tif 000002
【特許請求の範囲】
【請求項１】
装飾部を着脱可能に支持する支持部が外面に形成された飾り付き靴において、
上記支持部は、上記外面に縫着されたベース地と、
２以上のスリットが形成されるとともに、上記ベース地に接着されたカバー地と、
円とは異なる形状からなる第１係合部を有する吸着面が形成された第１連結部とを有し、
上記装飾部は、上記吸着面と当接するための当接面が形成され、第１連結部と磁力によって連結可能な第２連結部と、
第２連結部に固定された靴飾りとを有し、
第１連結部は、２以上の脚部を有し、上記スリットを貫通させた当該脚部をそれぞれ折り曲げることにより、上記カバー地に固定され、
上記ベース地は、上記外面に縫着された後に、第１連結部の固定後のカバー地と接着され、
上記当接面には、互いに回転しないように第１係合部と係合可能な第２係合部が形成されることを特徴とする飾り付き靴。
【発明の詳細な説明】
【技術分野】
【０００１】
本発明は、飾り付き靴に係り、更に詳しくは、靴飾りを着脱可能な飾り付き靴の改良に関する。
【背景技術】
【０００２】
リボンやコサージュなどの靴飾りを用いて靴を装飾することにより、靴の見栄えを向上させることが広く行われている。例えば、靴の前面に靴飾りを付すことが知られている。
【０００３】
また、靴を変えることなく、靴飾りのみを変更可能とすることもできる。例えば、靴飾りに連結されたクリップを靴の開口部の縁に取り付けることが知られている。この場合、靴飾りを変更することにより、靴の外観を大きく変更することができる。
【０００４】
しかしながら、この様な靴飾りでは、靴の開口部の縁にクリップを取り付ける必要があるため、靴を履いた状態では、靴飾りの取り付け作業及び取り外し作業がしづらいという問題があった。また、靴の開口部から離れた位置に靴飾りを取り付けることができず、靴飾りの位置が限定されるという問題があった。
【０００５】
更に、靴を履いた状態では、ユーザの足とクリップの金属部分とが直接接触するため、ユーザが、金属アレルギーを引き起こしやすく、クリップによって怪我をするおそれがあるという問題があった。また、所望の向きとなるように靴飾りを取り付けることが難しいことに加え、ユーザの足に接触して靴飾りがずれやすいため、靴飾りの見栄えが良好でないという問題があった。
【発明の概要】
【発明が解決しようとする課題】
【０００６】
本発明は、上記の事情に鑑みてなされたものであり、ユーザが靴を履いた状態における靴飾りの取り付け作業及び取り外し作業を容易化することができる飾り付き靴を提供することを目的とする。また、開口部の縁から離れた位置にも靴飾りを取り付けることができる飾り付き靴を提供することを目的とする。更に、ユーザの金属アレルギーや怪我を抑制しつつ、靴飾りを取り付けることができる飾り付き靴を提供することを目的とする。
【課題を解決するための手段】
【０００７】
第１の本発明による飾り付き靴は、装飾部を着脱可能に支持する支持部が外面に形成された飾り付き靴において、上記支持部が、上記外面に縫着されたベース地と、２以上のスリットが形成されるとともに、上記ベース地に接着されたカバー地と、円とは異なる形状からなる第１係合部を有する吸着面が形成された第１連結部とを有し、上記装飾部が、上記吸着面と当接するための当接面が形成され、第１連結部と磁力によって連結可能な第２連結部と、第２連結部に固定された靴飾りとを有し、第１連結部が、２以上の脚部を有し、上記スリットを貫通させた当該脚部をそれぞれ折り曲げることにより、上記カバー地に固定され、上記ベース地が、上記外面に縫着された後に、第１連結部の固定後のカバー地と接着され、上記当接面には、互いに回転しないように第１係合部と係合可能な第２係合部が形成されるように構成される。
【０００８】
この様な構成によれば、マグネットを用いて靴に靴飾りを取り付けるので、ユーザが靴を履いた状態における靴飾りの取り付け作業及び取り外し作業を容易化することができる。また、靴飾りがユーザの足に直接接触しないため、ユーザが靴を履いた状態において金属アレルギーを引き起こすことや、怪我をすることを抑制することができる。更に、靴の外面にベース地を縫着させるので、ベース地を縫着可能な部位であれば靴飾りを取り付けることができる。このため、取り付け位置の選択の自由度が大きい。また、ベース地にカバー地を接着させるので、外面にカバー地を接着させる場合に比べ、接着強度を向上させることができる。このとき、第１連結部を固定したカバー地を取り付ける前に、ベース地を外面に縫着させるので、ベース地を外面に縫着させる作業を容易化することができる。また、支持部の第１係合部と、装飾部の第２係合部とを係合させるので、所望の向きに靴飾りを取り付けることができる。更に、２つの係合部が、互いに回転しないように係合するので、靴飾りが靴に対して回転することを抑制することができる。このため、ユーザが靴を履いた状態において靴飾りの向きがずれることを抑制することができる。
【発明の効果】
【０００９】
本発明によれば、マグネットを用いて靴に靴飾りを取り付けるので、ユーザが靴を履いた状態における靴飾りの取り付け作業及び取り外し作業を容易化することができる。また、靴飾りがユーザの足に直接接触しないため、ユーザが靴を履いた状態において金属アレルギーを引き起こすことや、靴飾りによって怪我をすることを抑制することができる。更に、靴の外面にベース地を縫着させるので、ベース地を縫着可能な部位であれば靴飾りを取り付けることができる。このため、取り付け位置の選択の自由度が大きい。また、ベース地にカバー地を接着させるので、外面にカバー地を接着させる場合に比べ、接着強度を向上させることができる。このとき、第１連結部を固定したカバー地を取り付ける前に、ベース地を外面に縫着させるので、ベース地を外面に縫着させる作業を容易化することができる。また、支持部の第１係合部と、装飾部の第２係合部とを係合させるので、所望の向きに靴飾りを取り付けることができる。更に、２つの係合部が、互いに回転しないように係合するので、靴飾りが靴に対して回転することを抑制することができる。このため、ユーザが靴を履いた状態において靴飾りの向きがずれることを抑制することができる。
【図面の簡単な説明】
【００１０】
【図１】本発明の実施の形態による飾り付き靴１００の一構成例を示した斜視図である。
【図２】図１の飾り付き靴１００の要部の一例を示した斜視図である。
【図３】図１の飾り付き靴１００から装飾部１０を取り外した場合の様子を示した斜視図である。
【図４】図２の連結部１４を平面的に見た図である。
【図５】図２の連結部１４を平面的に見た図である。
【図６】図３のマグネット部２１を平面的に見た図である。
【図７】図３のマグネット部２１を平面的に見た図である。
【図８】図３の靴本体部２の前面に支持部２０を取り付ける方法の一例を示した説明図である。
【発明を実施するための形態】
【００１１】
図１は、本発明の実施の形態による飾り付き靴１００の一構成例を示した斜視図である。飾り付き靴１００は、靴飾りが取り付けられた革製の靴であり、この例では、パンプスからなる。飾り付き靴１００は、靴飾りユニット１及び靴本体部２により構成される。靴飾りユニット１は、靴本体部２の前面に縫い付けられた装飾ユニットであり、靴飾りを有する装飾部１０と、靴本体部２に縫い付けられた支持部（不図示）とからなる。この靴飾りユニット１では、ユーザが靴飾りを変更することができる。
【００１２】
図２は、図１の飾り付き靴１００の要部の一例を示した斜視図であり、靴飾りユニット１の装飾部１０を示している。図２（ａ）は、装飾部１０を斜め上方から見た図であり、図２（ｂ）は、装飾部１０を斜め下方から見た図である。装飾部１０は、リボン状の靴飾り１１と、靴飾り１１の下部にベース地１２及びカバー地１３を介して固定された連結部１４とからなる。
【００１３】
図２（ａ）に示すように、靴飾り１１は、布状部材を所望の形状に成形した装飾用部材である。この例では、靴飾り１１がリボン形状からなる例について説明するが、本発明はこれに限定されない。例えば、靴飾り１１が、花の形状を模したコサージュからなる構成であっても良い。
【００１４】
図２（ｂ）に示すように、ベース地１２は、靴飾り１１に縫い付けられた横長矩形状の生地である。例えば、ベース地１２として、スエードなどの人工皮革が用いられる。
【００１５】
また、カバー地１３は、接着剤によってベース地１２に接着された横長矩形状の生地であり、ベース地１２と同一の形状を有する。例えば、カバー地１３として、スエードなどの人工皮革が用いられる。
【００１６】
連結部１４は、略矩形の板状部材であり、カバー地１３に固定されている。この連結部１４は、マグネットを用いて吸着可能な部材からなる。
【００１７】
図３は、図１の飾り付き靴１００から装飾部１０を取り外した場合の様子を示した斜視図である。図１の飾り付き靴１００から装飾部１０を取り外した状態では、靴本体部２の前面に縫い付けられた支持部２０が露出されている。支持部２０は、装飾部１０を着脱可能に支持する支持手段である。
【００１８】
支持部２０は、マグネット部２１、ベース地２２及びカバー地２３により構成される。マグネット部２１は、図２（ｂ）の連結部１４に連結可能な連結手段であり、図示しないマグネットによって装飾部１０の連結部１４に吸着する。マグネット部２１の上面には、連結部１４を吸着させるための吸着面が形成されている。
【００１９】
ベース地２２は、靴本体部２の前面に縫い付けられた横長矩形状の生地である。例えば、ベース地２２として、スエードなどの人工皮革が用いられる。
【００２０】
また、カバー地２３は、接着剤によってベース地２２に接着された横長矩形状の生地であり、ベース地２２と同一の形状を有する。例えば、カバー地２３として、スエードなどの人工皮革が用いられる。
【００２１】
図４及び図５は、図２の連結部１４を平面的に見た図である。図４（ａ）は、連結部１４を上から見た図、図４（ｂ）は、連結部１４を下から見た図、図４（ｃ）は、連結部１４の側面図である。図５は、図４（ａ）の連結部１４のＡ−Ａ断面図である。
【００２２】
連結部１４は、当接板１４１、取り付け板１４２及びリベット１４３により構成される。図４（ａ）に示すように、当接板１４１は、図３のマグネット部２１の吸着面と当接するための略矩形の当接面が形成された板状部材であり、マグネット部２１と連結可能に構成されている。当接板１４１の中央部には、図示しない円形の貫通孔が形成されている。この当接板１４１は、マグネットにより吸着可能な部材からなり、例えば、防錆加工された鉄からなる。
【００２３】
取り付け板１４２は、カバー地１３に当接板１４１を固定するための薄板状の金属部材である。図４（ｂ）及び（ｃ）に示すように、取り付け板１４２では、幅広の中央部が当接板１４１の下面に当接し、この中央部より幅の狭い左右両端を屈曲させることによって形成された１対の脚部が、当接板１４１の下方へ延びるように構成されている。また、取り付け板２１３の中央部には、円形の貫通孔が形成されている。なお、３以上の脚部が形成される構成であってもよい。
【００２４】
リベット１４３は、取り付け板１４２を固定する固定手段である。リベット１４３の軸は、円柱形状を有し、当接板１４１と取り付け板１４２の中央部とを貫通している。リベット１４３の上端は、軸の断面より面積の大きい矩形形状からなり、当接板１４１の当接面から上方へ突出する突起部を形成している。また、リベット１４３の下端は、つぶされて直径が大きくなり、取り付け板１４２の下方向への移動を規制している。このとき、リベット１４３が、当接板１４１及び取り付け板１４２がいずれも回転しないように固定するものとする。
【００２５】
図６及び図７は、図３のマグネット部２１を平面的に見た図である。図６（ａ）は、マグネット部２１を上から見た図、図６（ｂ）は、マグネット部２１を下から見た図、図６（ｃ）は、マグネット部２１の側面図である。図７は、図６（ａ）のマグネット部２１のＢ−Ｂ断面図である。
【００２６】
マグネット部２１は、マグネット２１１、マグネットカバー２１２、取り付け板２１３、リベット２１４及び金属板２１５により構成される。図６（ａ）の破線に示すとおり、マグネット２１１は、貫通孔を有するリング状の永久磁石である。マグネット２１１は、図２の連結部１４を磁力によって吸着させる。
【００２７】
図６（ｂ）及び図７に示すとおり、金属板２１５は、マグネット２１１の下面に当接する略矩形の板状部材である。例えば、防錆加工された鉄からなる。金属板２１５の中央部には、円形の貫通孔が形成されている。ここでは、金属板２１５が、接着剤を用いてマグネット２１１の下面に接着されているものとする。
【００２８】
マグネットカバー２１２は、マグネット２１１の上面と、マグネット２１１及び金属板２１５の側面とを覆う被覆部材である。マグネットカバー２１２の上面には、連結部１４を吸着させるための略矩形の吸着面が形成されている。また、この吸着面の中央部には、矩形の開口部が形成されている。一方、マグネットカバー２１２の略矩形の下端部における４辺の中点には、爪部がそれぞれ形成されている。図６（ｂ）では、４個の爪部のうち、２個を実線、２個を破線で示す。この爪部を金属板２１５の下面にそれぞれ当接させることにより、マグネットカバー２１２が、マグネット２１１を覆うように金属板２１５に固定される。
【００２９】
取り付け板２１３は、カバー地２３にマグネット２１１を固定するための薄板状の金属部材である。取り付け板２１３では、幅広の中央部が金属板２１５の下面に当接し、この中央部より幅の狭い左右両端を屈曲させることによって形成された１対の脚部が、金属板２１５の下方へ延びるように構成されている。また、取り付け板２１３の中央部には、円形の貫通孔が形成されている。なお、３以上の脚部が形成される構成であってもよい。
【００３０】
リベット２１４は、取り付け板２１３を固定する固定手段である。リベット２１４の軸は、円柱形状を有し、マグネット２１１、金属板２１５及び取り付け板２１３の中央部を貫通している。リベット２１４の上端は、軸の断面よりも面積の大きい矩形形状からなり、マグネットカバー２１２の開口部から露出されている。このとき、リベット２１４の上端は、マグネットカバー２１２の吸着面に比べて低い位置にあるため、マグネットカバー２１２の開口部に矩形の凹部が形成される。この凹部は、連結部１４の当接面に形成される突起部と略同一の断面形状を有するため、互いに回転しないように係合可能である。すなわち、吸着面の凹部と当接面の突起部とは、１対の係合手段を構成している。また、リベット２１４の下端は、つぶされて直径が大きくなり、取り付け板２１３の下方向への移動を規制している。このとき、リベット２１４が、マグネットカバー２１２、取り付け板２１３及び金属板２１５がいずれも回転しないように固定するものとする。
【００３１】
この様な構成を採用すれば、マグネット部２１の吸着面に形成された凹部と、連結部１４の当接面に形成された突起部とを互いに回転しないように係合させるので、所望の向きに靴飾り１１を取り付けることができる。また、靴飾り１１が靴本体部２に対して回転することを抑制することができる。従って、ユーザが靴を履いた状態において靴飾り１１の向きがずれることを抑制することができる。
【００３２】
図８は、図３の靴本体部２の前面に支持部２０を取り付ける方法の一例を示した説明図である。図８（ａ）は、カバー地２３にマグネット部２１を取り付ける様子を示している。図８（ｂ）は、マグネット部２１の取り付け後のカバー地２３をベース地２２に接着させる様子を示している。また、図８（ｃ）は、ベース地２２の取り付け後のマグネット部２１を示している。
【００３３】
まず、図８（ａ）に示すように、カバー地２３にマグネット部２１を固定する。カバー地２３には、短軸方向に延びる１対のスリット２３ａが形成されている。この１対のスリット２３ａに取り付け板２１３の脚部をそれぞれ貫通させ、その先端間の距離を拡げる方向へ脚部をそれぞれ折り曲げることにより、マグネット部２１がカバー地２３に固定される。
【００３４】
次に、図８（ｂ）及び（ｃ）に示すように、接着剤を用いてカバー地２３をベース地２２に接着させる。図８（ｂ）及び（ｃ）では、靴本体部２を省略しているが、ベース地２２を靴本体部２の前面に縫い付けた後に、カバー地２３をベース地２２に接着させるものとする。このとき、カバー地２３及びベース地２２において重複しない領域が生じないように、２つを重ね合わせるものとする。図８（ｃ）では、取り付け板２１３の脚部を破線にて示す。カバー地２３及びベース地２２は同一形状を有するので、ベース地２２の縫い付け後にカバー地２３を接着させることにより、カバー地２３の位置決めを容易化することができる。
【００３５】
図２の靴飾り１１の下面に連結部１４を取り付ける方法については、靴本体部２の前面に支持部２０を取り付ける場合と同様であるため、説明を省略する。
【００３６】
仮に、マグネット２１１をカバー地に固定した後、このカバー地を靴本体部２の前面に縫着するとすれば、カバー地の縫着作業が困難であるという問題がある。一方、マグネット部２１は、カバー地のスリットに取り付け板２１３の脚部を通した後、脚部の先端を拡げることによってカバー地に固定する。このため、カバー地を前面に縫着させた後に、このカバー地にマグネット部２１を固定することはできないという問題がある。
【００３７】
そこで、本実施の形態では、カバー地２３と同一形状を有するベース地２２を靴本体部２に縫着させている。このとき、マグネット部２１を固定したカバー地２３を取り付ける前に、ベース地２２を前面に縫着させるので、ベース地２２を靴本体部２の前面に縫着させる作業を容易化することができる。また、ベース地２２にカバー地２３を接着させるので、前面にカバー地を接着させる構成に比べ、接着強度を向上させることができる。
【００３８】
また、マグネット２１１を用いて靴本体部２に靴飾り１１を取り付けるので、ユーザが靴を履いた状態における靴飾り１１の取り付け作業及び取り外し作業を容易化することができる。また、靴飾り１１がユーザの足に直接接触しないため、ユーザが靴を履いた状態において金属アレルギーを引き起こすことや、怪我をすることを抑制することができる。更に、靴本体部２の外面にベース地２２を縫着させるので、ベース地２２を縫着可能な部位であれば靴飾り１１を取り付けることができる。このため、取り付け位置の選択の自由度が大きい。
【００３９】
なお、本実施の形態では、連結部１４の突起部と、マグネット部２１の凹部とが、それぞれ矩形からなる場合の例について説明した。しかしながら、本発明はこれに限定されない。例えば、突起部及び凹部が、五角形、六角形又は円の一部を切り欠いた形状などからなる構成であっても良い。しかしながら、突起部及び凹部を円形状とすれば、互いに回転しないように突起部及び凹部を係合させることができない。このため、円とは異なる形状とすることが望ましい。
【００４０】
また、本実施の形態では、靴飾りユニット１が靴本体部２の前面に縫着される場合の例について説明した。しかしながら、本発明はこれに限定されない。すなわち、靴飾りユニット１が靴本体部２の外面のいずれかに縫着される構成であれば良く、例えば、側面又は背面に縫着される構成であっても良い。
【００４１】
また、本実施の形態では、カバー地２３に２つのスリット２３ａが形成される場合の例について説明した。しかしながら、本発明はこれに限定されない。例えば、カバー地２３に３以上のスリット２３ａが形成される構成であっても良い。
【符号の説明】
【００４２】
１    靴飾りユニット
２    靴本体部
１０    装飾部
１２，２２    ベース地
１３，２３    カバー地
１４    連結部
２０    支持部
２１    マグネット部
２３ａ    スリット
１００    靴
１４１    当接板
１４２，２１３    取り付け板
１４３，２１４    リベット
２１１    マグネット
２１２    マグネットカバー
２１５    金属板
【図１】
2013226164.tif 000003
【図２】
2013226164.tif 000004
【図３】
2013226164.tif 000005
【図４】
2013226164.tif 000006
【図５】
2013226164.tif 000007
【図６】
2013226164.tif 000008
【図７】
2013226164.tif 000009
【図８】
2013226164.tif 000010